(57)【要約】【課題】人体への生理活性効果を高めるとともに、人体に与える温感を改善し、何回でも繰り返して使用できるようにして経済性を高めるとともに環境にも配慮し、さらにお灸の発熱量の調整を可能とし、また溶岩の放射する遠赤外線による健康増進作用を享受できるようにしたものである。【解決手段】溶岩を所定の形状に成形加工するか、あるいは溶岩粉末を所定の形状に固化させた台座上に、発熱体を搭載するようにしたことを特徴とする溶岩製温灸器。【選択図】          図１
2004236677.tif 000002
【特許請求の範囲】
【請求項１】
溶岩を所定の形状に成形加工するか、あるいは溶岩粉末を所定の形状に固化させた台座上に、発熱体を搭載するようにしたことを特徴とする溶岩製温灸器。
【請求項２】
発熱体が通電して発熱するヒータであり、このヒータを台座の内部もしくは外面に取り付けるとともに、台座に上記ヒータに通電するための電源を付設したことを特徴とする請求項１に記載の溶岩製温灸器。
【請求項３】
発熱体がもぐさであり、台座上にもぐさを搭載できるようにしたことを特徴とする請求項１に記載の溶岩製温灸器。
【発明の詳細な説明】
【０００１】
【発明の属する技術分野】この発明は、遠赤外線放射性に優れた溶岩の蓄熱保温性を応用し、かつ溶岩が放射する遠赤外線や溶岩が含有する豊富なミネラルを利用して健康を増進させるための溶岩製温灸器に関するものである。
【０００２】
【従来の技術】灸治療は東洋医学における温熱治療の伝統的養生法であり、東洋医学の命は血流か健康か、健康か血流かが全ての源で、古代から温熱治療が東洋医学の中心とされてきた。そして昔の人々は病を治すため、素肌のツボに当たる場所に、直接灸素材適量を置いて点火し、３０秒程度燃やし、強烈な熱さを我慢して肌に灸治療の傷跡を残してもなお、患部の血流を高めて健康増進に努めてきたのである。
【０００３】とはいえ、従来の灸治療具は燃焼が終わると同時に熱感は消え、そこで灸による治療は完結してしまう。また現代人は、健康より灸跡に神経質で、若者には嫌われてしまう傾向にある灸治療である。またもぐさ量を増加させた燃焼は熱感が増し、皮膚を刺し、火傷の原因になりかねない。このイメージの解消から、新しい灸治療具の複数種が、開発され実用化にある。例えば、特開昭６３−２９５４０号あるいは実開昭６３−４０９３７号に示す熱治療器具は、少量のセラミックシートもしくはセラミック小片と他の材料とを組み合わせて、遠赤外線による治療効果を企図したものである。また、特開平５−２８５１９１に示す温灸器は、厚紙など断熱性を有する板材で形成された、下面に粘着剤を塗布し剥離シートを貼り付けた台座に、上下に貫通する通孔を設け、もぐさを糊で固めたもぐさ整形体を、通孔に設けた個所において台座の上に取着したことを特徴とするものである。
【０００４】しかしながら、上述の従来技術では、構造が複雑になるとともに人体が吸収できる電磁波の波長帯域における放射率が概ね６０％程度であり、人体に与える生理活性が不充分となっている。また、一方、従来型の熱質は、針先で刺したような感覚を与えるものであって丸みに欠け、もぐさ等が燃えきった後、台座が急激に冷めるという不都合がある。また従来の灸治療は、患部の一点に、もぐさと台座等が一体となった治療具を張り付けているので、点火して燃え終わると治療具の後始末として残った台座を使い捨てにせざるをえず、地球環境に負荷を与えるおそれがある。
【０００５】
【発明が解決しようとする課題】そのため、特開２０００−２４０７８号のように天然鉱石をもぐさの台座に使用することも提案されているが、この発明のものにおいては蓄熱効果については認められるものの、遠赤外線による体内深部への浸透性のある温熱作用やミネラルがイオン化して発揮する健康増進作用については認めることができなかった。
【０００６】そこで、この発明の溶岩製温灸器は、遠赤外線による人体への生理活性効果を高めるとともに、遠赤外線によって人体に与える温感（気持ちよさ）を改善し、何回でも繰り返して使用できるようにして経済性を高めるとともに環境にも配慮し、さらにお灸の発熱量の調整を可能とし、また溶岩の放射する遠赤外線や数多くの豊富なミネラルによる健康増進作用を享受できるようにしたものである。
【０００７】
【課題を解決するための手段】上記課題を解決するために、この発明の溶岩製温灸器は、溶岩を所定の形状に成形加工するか、あるいは溶岩粉末を所定の形状に固化させた台座上に、発熱体を搭載するようにしたことを特徴とするものである。
【０００８】この発明の溶岩製温灸器は、上記発熱体が通電して発熱するヒータであり、このヒータを台座の内部もしくは外面に取り付けるとともに、台座に上記ヒータに通電するための電源を付設したことをも特徴とするものである。
【０００９】この発明の溶岩製温灸器は、上記発熱体がもぐさであり、台座上にもぐさを搭載できるようにしたことをも特徴とするものである。
【００１０】これにより、溶岩の放射する遠赤外線によって血流促進効果等の生理活性作用が格段に高まり、数多くの豊富なミネラル、例えば亜鉛等を吸収することによる種々の健康増進作用が期待できる。
また上記溶岩製温灸器は、保温性に優れ、一度熱を吸収すると蓄えた熱が保たれ、患部数箇所に使うことも可能である。
さらにこの発明によれば、溶岩製温灸器を所望の形状に容易に加工でき、製造工程がシンプルであるという利点もある。
【００１１】
【発明の実施の形態】以下、この発明の溶岩製温灸器の実施の形態を、図面を参照して詳細に説明する。
図１はこの発明の溶岩製温灸器の１実施例を示し、溶岩製温灸器内にヒータを内蔵した場合の概略断面図、図２および図３は他の実施例を示し、それぞれもぐさを搭載できるようにした場合の概略斜視図である。
【００１２】先ず図１のように、溶岩製温灸器内にヒータを内蔵した場合について説明する。
この発明の溶岩製温灸器１に台座２として使用される溶岩は、日本各地から切り出されたものが使用可能であるが、特に富士山近傍で採取されたものが、亜鉛等を豊富に含んでいて好適に使用することができる。
【００１３】この溶岩は、石材加工のための各種の切削機械を用いて所定の形状に成形加工するか、あるいは溶岩を粉砕して粉末状とし、その後合成樹脂や種々の接着剤を用いて結着した上、所定の形状に固化させて台座２とすることができる。この台座２上には、電熱ヒータやもぐさ等の発熱体が搭載され、通電あるいは点火により温灸器として機能させる。
【００１４】上記溶岩製温灸器１は、台座２を構成する溶岩が人体が吸収できる波長帯域での赤外線を高率に放射することができ、人間に顕著な生理活性を与えることができる。
【００１５】図１の実施例においては、上記発熱体が通電して発熱する電熱ヒータ３であり、この電熱ヒータ３を台座２の内部に内蔵させている。内蔵の方法としては、台座２を上下１対の半割の溶岩素材の対向面に収納部４を形成して貼り合せたり、溶岩素材に収納部を形成して蓋で閉じたりすることが考えられる。もちろん、台座２の厚みを考慮して台座２の外面に取り付けることも可能である。
【００１６】上記電熱ヒータ３は、台座２から引出されたコード５を介して電源６に電気的に接続されており、この電源６からの通電によって所定の温度に加温される。もちろん、電源６や電熱ヒータ３に電圧や電流の制御回路を取り付けることによって温度を制御することが可能である。上記電熱ヒータ３に通電するための電源６は台座２に直接取り付けたり、コード５を介して台座２から引出すことにより、別途設けてもよいことはもちろんである。また充電式とすることもできる。
【００１７】なお、上記台座２の裏面には両面粘着シールを貼り付けておくことができる。この両面粘着シールは必ずしも必要ではなく、直接人体表面に置いても良い。また両面粘着シールに代えて、マジックテープ等で被服類に脱着可能な構造としても良い。
【００１８】図２および図３の実施例においては、この発明の溶岩製温灸器１１に使用される上記発熱体はもぐさ１３である。その際、台座１２の上面は図２のように平滑としたり、図３のように凹部１４を形成することによって収納しやすくすることができ、所定の塊状に成形したもぐさ１３を上記平滑面や凹部１４上に無理なく搭載することができる。
【００１９】上記もぐさ１３は、台座１２に搭載された状態で点火することによって燃焼し、それに伴って台座１２も所定の温度に加温される。もちろん、もぐさ１３の配合や台座１２上の平滑面（図２）や凹部１４（図３）に搭載する量によって温度を制御することが可能である。
なお、この実施例においても、台座１２として溶岩を使用しているので温熱作用が長時間持続する。すなわち、一度熱を吸収すると蓄えた熱が保たれ、患部数箇所に使うことも可能となるのである。
【００２０】使用するもぐさ１３としては、高価なもぐさ類は不経済である。この発明のように間接的な温灸は、台座を挟んで使用するので、多少の熱さは和らげることができ、したがって各種のお灸発熱組成材（以下もぐさと総称する）を使用できる。すなわち、もぐさ（ヨモギ）、ニンニク、ショウガ、海藻、竹の根の炭化物、栽培穀類の蕎麦殻、そば殻、藁、米糠、籾殻等から選択されるが、それらを混合したり、様々な任意の組み合わせも自在で、治療者の好みでもぐさ１３を選び使い分けることができる。
【００２１】
【発明の効果】この発明によれば、溶岩の優れた遠赤外線の放射率と熱の浸透性によって体内深部の温度を高めることにより、毛細血管を拡張して血流を良くし、含有する数多くの豊富なミネラルをイオン化して取り込むことが可能となる。
【００２２】したがって、人体に与える温感は春の太陽光線の遠赤外線によるものと同一であって大変気持ちのよいものであり、人体への生理活性効果を高めるとともに、何回でも繰り返して使用できる上、お灸の加温時間が自在となり、かつまた発熱量の調整が可能な溶岩製温灸器を提供することができる。
【図面の簡単な説明】
【図１】この発明の溶岩製温灸器の１実施例を示し、溶岩製温灸器内にヒータを内蔵した場合の概略断面図である。
【図２】他の実施例を示し、もぐさを平滑面上に搭載できるようにした場合の概略斜視図である。
【図３】台座上面に凹部を形成した例を示し、その凹部にもぐさを搭載できるようにした場合の概略斜視図である。
【符号の説明】
１  溶岩製温灸器
２  台座
３  電熱ヒータ
４  収納部
５  コード
６  電源
１１  溶岩製温灸器
１２  台座
１３  もぐさ
１４  凹部
【図１】
2004236677.tif 000003
【図２】
2004236677.tif 000004
【図３】
2004236677.tif 000005